(57)【要約】【課題】おむつからのインナーパッドの引き抜きを防止することができる吸収性物品を提供する。【解決手段】人体に当接する面に位置する透液性のトップシート１と、トップシート１と反対側の面に位置する不透液性のバックシート２と、トップシート１とバックシート２との間に介装される吸収体３とを備えるインナーパッド１００において、バックシート２面であって着用時に人体の仙骨位置及び臀部位置に相当する部分に面ファスナー４が設けられ、トップシート１面であって面ファスナー４に対向する部分に目印５が形成される。【選択図】図２
2015188732.tif 000002
【特許請求の範囲】
【請求項１】
人体に当接する面に位置する透液性のトップシートと、前記トップシートと反対側の面に位置する不透液性のバックシートと、前記トップシートと前記バックシートとの間に介装される吸収体と、を備える吸収性物品において、
前記バックシート面であって着用時に人体の仙骨位置及び臀部位置に相当する部分に設けられ、アウターに止着される止着部と、
前記トップシート面であって前記止着部に対向する部分に設けられた目印と、を備えることを特徴とする吸収性物品。
【請求項２】
前記吸収体のうち前記止着部に対向する部分の厚さが、他の部分よりも厚いことを特徴とする請求項１に記載の吸収性物品。
【請求項３】
前記止着部は、起毛されたフック或いはループを備えた面ファスナーであり、
前記フック或いはループは、人体の腹側に向かって斜めに形成されていることを特徴とする請求項１又は２に記載の吸収性物品。
【請求項４】
前記止着部の形状は、方形、楕円形或いは円形であることを特徴とする請求項１〜３のいずれか一項に記載の吸収性物品。
【発明の詳細な説明】
【技術分野】
【０００１】
本発明は、吸収性物品に関する。
【背景技術】
【０００２】
従来、高齢者・障害者等の成人用の吸収性物品として、液透過性の表面シートと、液不透過性の裏面シートと、両シートの間に介装された吸収体と、を備えた使い捨て紙おむつや尿取りインナーパッドが広く利用されている。
【０００３】
但し、インナーパッドは、おむつや下着等のアウターに収めて使用するものであり、アウターとは別々の物品であるため、着用中のインナーパッドのずれが問題となる。
このため、着用中にずれることがなく且つ身体との密着性が良好であり、後方部からの漏れがなく、防漏性及び装着感に優れる吸収性物品（例えば、特許文献１参照）や、製品の隅部からのめくれによってズレ止めが剥がれるのを防止して、ズレ止めを確実に固定し、かつ接着剤等が股下で幅方向に付着し合うのを防ぐズレ防止構造が開示されている（例えば、特許文献２参照）。
【先行技術文献】
【特許文献】
【０００４】
【特許文献１】特開２００７−２８２８２９号公報
【特許文献２】特開２００５−１４３８７８号公報
【発明の概要】
【発明が解決しようとする課題】
【０００５】
しかしながら、認知症患者や、インナーパッドに違和感や不快感を持ってしまうおむつの着用者は、インナーパッドを勝手に触ってアウターから外してしまう場合がある（通称、「おむついじり」と言う。）。
このような「おむついじり」は、通常、着用者の腹側からインナーパッドが引き抜かれることによって生じ、外したインナーパッドをどこかに隠したり、インナーパッドを外した状態で排尿をしてしまいベットシーツ等を汚してしまう場合もあり、介護者等に精神的、肉体的な負担を与えてしまうといった問題点があった。
【０００６】
本発明の課題は、アウターからのインナーパッドの引き抜きを防止することができる吸収性物品を提供することにある。
【課題を解決するための手段】
【０００７】
前記課題を解決するために、請求項１記載の発明は、
人体に当接する面に位置する透液性のトップシートと、前記トップシートと反対側の面に位置する不透液性のバックシートと、前記トップシートと前記バックシートとの間に介装される吸収体と、を備える吸収性物品において、
前記バックシート面であって着用時に人体の仙骨位置及び臀部位置に相当する部分に設けられ、アウターに止着される止着部と、
前記トップシート面であって前記止着部に対向する部分に設けられた目印と、を備えることを特徴とする。
【０００８】
請求項２記載の発明は、請求項１に記載の吸収性物品において、前記吸収体のうち前記止着部に対向する部分の厚さが、他の部分よりも厚いことを特徴とする。
【０００９】
請求項３記載の発明は、請求項１又は２に記載の吸収性物品において、前記止着部は、起毛されたフック或いはループを備えた面ファスナーであり、
前記フック或いはループは、人体の腹側に向かって斜めに形成されていることを特徴とする。
【００１０】
請求項４記載の発明は、請求項１〜３のいずれか一項に記載の吸収性物品において、前記止着部の形状は、方形、楕円形或いは円形であることを特徴とする。
【発明の効果】
【００１１】
本発明によれば、トップシート面であって止着部に対向する部分に目印が形成されることにより、吸収物品を装着したアウターを着用させる際に、トップシート面に形成された目印に、着用者の仙骨や臀部を合わせながら着用させることができ、着用者の仙骨や臀部が確実に止着部に対向させることができるので、仙骨や臀部の体圧が止着部に加わり、当該止着部が押圧され剥がれにくくなって、おむつからの吸収物品の引き抜きを防止することができる。
【図面の簡単な説明】
【００１２】
【図１】本実施形態におけるインナーパッドの一例を示す平面図である。
【図２】図１のII−II線における断面図である。
【図３】体圧分散の一例を示す説明図である。
【図４】座位或いは寝位における体圧の加わる方向を示す説明図である。
【図５】変形例１のインナーパッドの面ファスナー部分における断面図である。
【図６】変形例２の面ファスナーのフック或いはループの形成角度の一例を示す説明図である。
【図７】変形例３のインナーパッドの面ファスナーの形状の一例を示す説明図である。
【発明を実施するための形態】
【００１３】
以下、図面を参照しつつ、本発明の実施形態である吸収性物品を詳細に説明する。但し、発明の範囲は、図示例に限定されない。
【００１４】
（実施形態）
本発明の実施形態の吸収性物品について、図１及び図２に基づいて説明する。
図１は、本実施形態におけるインナーパッドの一例を示す平面図、図２は、図１のII−II線における断面図である。
【００１５】
図１及び図２に示すように、インナーパッド１００は、人体に当接する面に位置する透液性のトップシート１と、トップシート１と反対側の面に位置する不透液性のバックシート２と、トップシート１とバックシート２との間に介装される吸収体３とを備えている。
また、バックシート２の表面であって、着用時に人体の仙骨位置及び臀部位置に相当する部分に止着部としての面ファスナー４が設けられ、トップシート１の表面であって面ファスナー４に対向する部分に目印５が形成されている。
【００１６】
トップシート１は、有孔又は無孔の不織布や、多孔性プラスチックシート等により形成されている。不織布を構成する素材繊維としては、ポリエチレン又はポリプロピレン等のオレフィン系、ポリエステル系、ポリアミド系等の合成繊維の他、レーヨンやキュプラ等の再生繊維、綿等の天然繊維を用いることができる。また、不織布を製造する方法としては、公知の方法を適宜用いることができ、例えば、スパンレース法、スパンボンド法、サーマルボンド法、メルトブロー法、ニードルパンチ法、又はこれらを組み合わせた方法が挙げられる。
トップシート１に多数の透孔を形成した場合には、尿等の液体がより速やかに吸収されるようになり、ドライタッチ性に優れたものとなる。
【００１７】
バックシート２は、不透液性の素材であれば、特に限定されるものではないが、例えば、ポリエチレンやポリプロピレン等のオレフィン系樹脂等からなるプラスチックフィルムや、不織布の表面にプラスチックフィルムを設けたラミネート不織布、プラスチックフィルムに不織布等を重ねて接合した積層シート等を用いることができる。また、熱や圧力をかけることで繊維の空隙を小さくしたり、高吸水性樹脂又は疎水性樹脂や撥水剤を塗布したりして、プラスチックフィルムを用いずに不透液性としたシートをバックシート２として用いることができる。
【００１８】
吸収体３は、尿等の水様成分を吸収するものであり、例えば、繊維の集合体により形成することができる。この繊維集合体としては、綿状パルプや合成繊維等の短繊維を積繊したものの他、セルロースアセテート等の合成繊維のトウ（繊維束）を必要に応じて開繊して得られるフィラメント集合体も使用できる。また、繊維集合体に、高吸水性樹脂（ＳＡＰ；Super Absorbent Polymer）を組み合わせて吸収体３を構成することもできる。
【００１９】
高吸水性樹脂（以下、単にポリマーと呼ぶ。）としては、カルボキシメチルセルロース、ポリアクリル酸及びその塩類、アクリル酸塩重合体架橋物、澱粉−アクリル酸グラフト共重合体、澱粉−アクリロニトリルグラフト共重合体の加水分解物、ポリオキシエチレン架橋物、カルボキシメチルセルロース架橋物、ポリエチレンオキサイド、ポリアクリルアミド等の水膨潤性ポリマーを部分架橋したもの、又はイソブチレンとマレイン酸との共重合体等が好適に用いられる。
さらに、消臭機能を持たせるため、吸収体３に消臭剤を入れてもよい。消臭剤としては、例えば、活性炭や天然鉱物（例えば、ベンナイト、カオリナイト、カネマイト等）、合成無機物（ゼオライト、アモルファスシリカ等）を用いることができる。
【００２０】
面ファスナー４は、面的に着脱できるファスナーであり、フック状に起毛された側とループ状に密集して起毛された側とを押し付けることにより貼り付くようになっており、貼り付けたり剥がしたりすることが自在にできるものである。
例えば、面ファスナー４として、フック状に起毛された側の面ファスナーを形成し、インナーパッド１００を装着する側のおむつの対応する位置にループ状に密集して起毛された側の面ファスナーを形成し、インナーパッド１００をアウターとしてのおむつに装着する時に双方の面ファスナーを押し付けることにより、インナーパッド１００をおむつに固定することができる。
【００２１】
目印５は、インナーパッド１００が装着されたおむつの着用時にバックシート２の表面に形成された面ファスナー４の位置を、トップシート１側から認識しやすくし、着用者の仙骨や臀部を確実に面ファスナー４に対向させるための機能を有し、トップシート１の表面に印刷等により形成される。
このような目印５の具体的な形成位置としては、長さが５６０ｍｍ、幅が３００ｍｍ程度のインナーパッド１００の場合、仙骨部に相当する目印は、インナーパッド１００の中心線上、後端から２０ｍｍ以上離れた位置が好ましく、一方、臀部に相当する目印は、インナーパッド１００の中心から左右に３０ｍｍ以上離れ、且つ、インナーパッド１００の後端から１００ｍｍ以上離れた位置が好ましい。
また、目印５の具体的な面積（大きさ）としては、１０００ｍｍ２から３０００ｍｍ２程度が好ましい。
また、例えば、目印５の形状としては、面ファスナー４と同一形状であっても良いし、その他の形状であっても良い。
【００２２】
例えば、介護者は、おむつ等に装着され、面ファスナー４等によって固定されたインナーパッド１００を着用させる際に、トップシート１の表面に形成された目印５に、着用者の仙骨や臀部を合わせながら着用させる。このように着用者にインナーパッド１００が装着されたおむつを着用せることにより、着用者の仙骨や臀部を確実に面ファスナー４に対向させることができる。
【００２３】
ここで、インナーパッド１００を装着したおむつの着用時の状況について、図３及び図４を用いて説明する。図３は、人体の体圧分散のイメージの一例を示す説明図であり、図４は、座位或いは寝位における体圧の加わる方向を示す説明図である。
【００２４】
図３から分かるように、仙骨位置ＰＲ１や、２つの臀部位置ＰＲ２、ＰＲ３に体圧の分布が集中する。このため、仙骨位置ＰＲ１や、２つの臀部位置ＰＲ２、ＰＲ３の対向する位置に、面ファスナー４が対向するようにインナーパッド１００を装着したおむつを着用させることにより、体圧をより有効に利用して面ファスナー４を押圧できて剥がれにくくなり、おむつからのインナーパッド１００の引き抜きを防止することができる。
すなわち、図４（ａ）に示すように、例えば、着用者ＢＤが椅子等に座っている座位の場合には、臀部位置ＰＲ２、ＰＲ３の体圧が面ファスナーＦＳ１に加わり、当該面ファスナーＦＳ１を押圧して剥がれにくくなって、おむつＯＴ１からインナーパッド１００が引き抜かれるのを防止することができる。
また、図４（ｂ）に示すように、例えば、着用者ＢＤがベッド等に寝ている寝位の場合には、仙骨位置ＰＲ１の体圧が面ファスナーＦＳ２に加わり、当該面ファスナーＦＳ２が押圧され剥がれにくくなって、おむつＯＴ１からインナーパッド１００が引き抜かれるのを防止することができる。
【００２５】
以上のように、本発明の実施形態では、人体に当接する面に位置する透液性のトップシート１と、トップシート１と反対側の面に位置する不透液性のバックシート２、トップシート１とバックシート２との間に介装される吸収体３とを備え、バックシート２の表面あって着用時に人体の仙骨位置及び臀部位置に相当する部分に面ファスナー４が設けられ、トップシート１の表面であって面ファスナー４に対向する部分に目印５が形成されることにより、インナーパッド１００を装着したおむつを着用させる際に、トップシート１表面に形成された目印５に、着用者の仙骨や臀部を合わせながら着用させることができ、着用者の仙骨や臀部が確実に面ファスナー４に対向させることができるので、仙骨や臀部の体圧が面ファスナー４に加わり、当該面ファスナー４が押圧され剥がれにくくなって、おむつからのインナーパッド１００の引き抜きを防止することができる。
【００２６】
（変形例１）
本発明の実施形態の変形例１について、図５に基づいて説明する。図５は、インナーパッド１０１の面ファスナー部分における断面図である。
図５においては、基本的に図２と同じ構成であり、異なる点は、吸収体６のバックシート２に当接する側であって、面ファスナー４に対向する部分ＰＴ１、ＰＴ２の厚さが、吸収体６の他の部分よりも厚くなっている点である。
【００２７】
以上のように、変形例１によれば、吸収体６のバックシート２に当接する側であって、面ファスナー４に対向する部分ＰＴ１、ＰＴ２の厚さが、吸収体６の他の部分よりも厚くなっているので、体圧がかかる仙骨や臀部におけるクッション性を向上させ、負担を低減することができる。また、着用者の肌と、面ファスナー４との距離が取れるので、当該肌への負担を軽減することができる。
【００２８】
（変形例２）
本発明の実施形態の変形例２について、図６に基づいて説明する。図６は、面ファスナーのフック或いはループの形成角度の一例を示す説明図である。図６（ａ）は、本発明の実施形態における面ファスナー４のフックやループの形成角度を示す説明図であり、図６（ｂ）は、変形例２における面ファスナー４のフックやループの形成角度を示す説明図である。
図６においては、基本的に図１及び図２と同じ構成であり、異なる点は、図６（ａ）に示すように、バックシート２の表面に形成される面ファスナー４のフック状に起毛されたフックＰＮ１（或いは、ループ状に密集して起毛されたループ）の形成角度をバックシート２の面に対して垂直ではなく、図６（ｂ）に示すように、バックシート２の表面に形成される面ファスナー４のフック状に起毛されたフックＰＮ２（或いは、ループ状に密集して起毛されたループ）の形成角度をバックシート２の面に対して着用者の腹側（引き抜き方向）に向かって斜めにしている点である。
例えば、図６（ａ）に示す状態で、矢印ＰＷ１方向にインナーパッド１００を引き抜こうとした場合と比較して、図６（ｂ）に示す状態で、矢印ＰＷ２方向にインナーパッド１００を引き抜こうとした場合には、面ファスナー４のフック或いはループが、着用者の腹側に傾いているため、言い換えれば、引き抜き方向に向かって逆立っているため、面ファスナー４のフック或いはループが外れ難くなり、面ファスナー４が剥がれにくくなって、おむつからのインナーパッド１００の引き抜きを防止することができる。
【００２９】
以上のように、変形例２によれば、バックシート２の表面に形成される面ファスナー４のフック状に、或いは、ループ状に密集して起毛されたフックやループの形成角度を面ファスナー４に対して垂直ではなく、着用者の腹側（引き抜き方向）に向かって斜めにすることにより、面ファスナー４が剥がれにくくなって、おむつからのインナーパッド１００の引き抜きを防止することができる。
【００３０】
（変形例３）
本発明の実施形態の変形例３について、図７に基づいて説明する。図７はインナーパッド１０２の面ファスナーの形状の一例を示す説明図である。
図７においては、基本的に図１及び図２と同じ構成であり、異なる点は、バックシート２の表面に形成される面ファスナー７の形状が円形である点である。
【００３１】
以上のように、変形例３によれば、バックシート２の表面に形成される面ファスナー７の形状を円形とすることにより、角がないので、体圧により負荷がかかった場合に捲れが発生することを防止でき、面ファスナー７が剥がれにくくなって、おむつからのインナーパッド１００の引き抜きを防止することができる。
【００３２】
なお、変形例３では、面ファスナー７の形状を円形としていたが、同じく角を有しない楕円形状であっても良い。
また、止着部は、粘着シートであっても良い。
【符号の説明】
【００３３】
１  トップシート
２  バックシート
３、６  吸収体
４、７  面ファスナー（止着部）
５  目印
１００、１０１、１０２  インナーパッド（吸収性物品） 
【図１】
2015188732.tif 000003
【図２】
2015188732.tif 000004
【図３】
2015188732.tif 000005
【図４】
2015188732.tif 000006
【図５】
2015188732.tif 000007
【図６】
2015188732.tif 000008
【図７】
2015188732.tif 000009